(57)【要約】【課題】電子機器において、プラグを接続するときに外部接続用コネクタに力が加わっても、半田のクラックや基板パターンの剥離が発生しないようにする。【解決手段】外部接続用コネクタ１０に、先端側１２ａにプラグ５０が挿入される筒状の金属端子１２を設け、この金属端子１２の基端側にプラグ５０が当接する部分よりも奥側に延長された延長部１２ｂを設ける。この延長部１２ｂを樹脂製のコネクタ本体１３で覆い、金属端子１２の先端側１２ａ外周とコネクタ本体１３外周とをそれぞれ正面側キャビネット３と背面側キャビネット４とで保持する。【選択図】図１
2015061124.tif 000002
【特許請求の範囲】
【請求項１】
外部接続用コネクタと該外部接続用コネクタの挿入口を露出させるプラグ用開口を有する筐体とを備えた電子機器において、
上記外部接続用コネクタは、先端側にプラグが挿入される筒状の金属端子を備え、該金属端子の基端側は、上記プラグが当接する部分よりも奥側に延長された延長部を有し、該延長部が樹脂製のコネクタ本体で覆われており、
上記金属端子の先端側外周と、上記コネクタ本体の外周とがそれぞれ上記筐体に保持されている
ことを特徴とする電子機器。
【請求項２】
請求項１に記載の電子機器において、
上記筐体は、第１キャビネットと、該第１キャビネットに結合される第２キャビネットとを備え、
上記コネクタ本体の外周に設けた防水シールが上記第１キャビネット又は上記第２キャビネットに設けた貫通孔で押圧されて防水されている
ことを特徴とする電子機器。
【請求項３】
請求項２に記載の電子機器において、
上記貫通孔が設けられた上記第１キャビネット又は上記第２キャビネットには、凸条及び凹溝の一方が形成され、
上記コネクタ本体には、該凸条及び凹溝の一方に嵌合される凸条及び凹溝の他方が設けられている
ことを特徴とする電子機器。
【請求項４】
請求項２又は３に記載の電子機器において、
上記金属端子の先端側の両側における上記第１キャビネットと上記第２キャビネットとは、ビスで締結されている
ことを特徴とする電子機器。
【請求項５】
請求項２〜４のいずれか１つに記載の電子機器において、
上記第２キャビネットの背面側がリアカバーで覆われ、上記外部接続用コネクタは、背面側に向かって湾曲する円弧状断面に配置されている
ことを特徴とする電子機器。
【発明の詳細な説明】
【技術分野】
【０００１】
本発明は、外部接続用コネクタを有する電子機器に関するものである。
【背景技術】
【０００２】
従来より、携帯電話機などの電子機器は、充電用、外部信号入出力用等のプラグを接続するための外部接続用コネクタを備えることが知られている。例えば、特許文献１の外部接続用コネクタは、その差込口が、前端側壁部のコネクタ実装部位に設けられた嵌合用切欠に嵌合された状態で、短冊状の基板収納部に位置決めされて実装されている。外部接続コネクタは、それとは別体の補強板金によって補強されることで、プラグの抜き差しから、外部接続コネクタと基板との半田箇所や基板パターンを保護するようにしている。
【先行技術文献】
【特許文献】
【０００３】
【特許文献１】特開２００８−１９９２２９号公報
【発明の概要】
【発明が解決しようとする課題】
【０００４】
しかしながら、従来の外部接続用コネクタは、プラグとの接続部分のみで奥行きが短いため、特許文献１のように補強板金で挟み込んで保持しても、プラグを電子機器の厚さ方向に動かしながら抜き差しを行うと、充分に半田箇所や基板パターンを保護することができない。
【０００５】
本発明は、斯かる点に鑑みてなされたものであり、その目的とするところは、プラグを接続するときにコネクタ本体に力が加わっても、半田のクラックや基板パターンの剥離を防止することにある。
【課題を解決するための手段】
【０００６】
上記の目的を達成するために、この発明では、プラグを接続する金属端子を奥側まで延長し、筐体によってその先端側及び基端側を保持するようにした。
【０００７】
具体的には、本発明では、外部接続用コネクタと該外部接続用コネクタの挿入口を露出させるプラグ用開口を有する筐体とを備えた電子機器を前提とし、
上記外部接続用コネクタは、先端側にプラグが挿入される筒状の金属端子を備え、該金属端子の基端側は、上記プラグが当接する部分よりも奥側に延長された延長部を有し、該延長部が樹脂製のコネクタ本体で覆われており、
上記金属端子の先端側外周と、上記コネクタ本体の外周とがそれぞれ上記筐体に保持されている。
【０００８】
上記の構成によると、金属端子をプラグとの接続という意味では機能を果たさない部分にまで延長し、その先端側外周と、延長部の外周を覆うコネクタ本体との両方を筐体で確実に保持するので、半田のクラックや基板パターンの剥離が発生しない。
【発明の効果】
【０００９】
以上説明したように、本発明によれば、プラグが接続される金属端子の基端側を延長し、金属端子の先端側外周と、基端側を覆うコネクタ本体外周とをそれぞれ筐体に保持したので、プラグを接続するときに外部接続用コネクタに力が加わったときの半田のクラックや基板パターンの剥離を防ぐことができる。
【図面の簡単な説明】
【００１０】
【図１】図２のＩ−Ｉ線拡大断面図である。
【図２】プラグを差し込んだ状態の携帯電話機を示す斜視図である。
【図３】携帯電話機を示す分解斜視図である。
【図４】外部接続用コネクタの斜視図で、（ａ）が先端側を、（ｂ）が基端側をそれぞれ示す。
【図５】リアカバーを外した外部接続用コネクタ及びその周辺を拡大して示す斜視図である。
【図６】リアカバー及び背面側キャビネットを外した外部接続用コネクタ及びその周辺を拡大して示す斜視図である。
【図７】コネクタ挿通用貫通孔及びその周辺の背面側キャビネットを拡大して示す斜視図である。
【図８】本発明の実施形態に係る変形例１を示す図１相当図である。
【図９】本発明の実施形態に係る変形例２を示す図１相当図である。
【図１０】本発明の実施形態に係る変形例３を示す図１相当図である。
【発明を実施するための形態】
【００１１】
以下、本発明の実施形態を図面に基づいて説明する。
【００１２】
図１〜図３は、本発明の実施形態の電子機器としての携帯電話機１を示し、この携帯電話機１は、正面側に液晶表示部２を備え、この液晶表示部２が樹脂成形品よりなる第１キャビネットとしての正面側キャビネット３に貼り付けられている。正面側キャビネット３の背面側には、樹脂成形品よりなる第２キャビネットとしての背面側キャビネット４が複数のビス２０にて結合されている。この背面側キャビネット４の背面が、樹脂成形品のリアカバー５で覆われている。主として正面側キャビネット３、背面側キャビネット４及びリアカバー５で携帯電話機１の筐体が構成されている。図示しないが、正面側キャビネット３の内部には、液晶表示部２の背面に充電池が内蔵され、その背面側にメイン基板が配置されており、正面側キャビネット３の下側にメイン基板に接続されるサブ基板６が配置されている。サブ基板６は、樹脂製ホルダ７で正面側キャビネット３に固定されている。なお、樹脂製ホルダ７の背面側には、正面側キャビネット３と背面側キャビネット４との間での防水性能を確保するための防水パッキン８が挟み込まれている。
【００１３】
図１及び図３に示すように、例えば正面側キャビネット３の右側面下側には、外部接続用コネクタ１０を露出させるためのコネクタ用開口３ａが形成されている。背面側キャビネット４にも、このコネクタ用開口３ａに合わせてコネクタ用切欠４ａが形成され、リアカバー５にも、コネクタ用切欠５ａが形成されている。
【００１４】
図４に拡大して示すように、外部接続用コネクタ１０は、先端側１２ａにプラグ５０が挿入される筒状の金属端子１２を備え、金属端子１２の基端側は、プラグ５０が当接する部分よりも奥側に延長された延長部１２ｂを有する。この延長部１２ｂは、樹脂製のコネクタ本体１３でインサート成形等により覆われている。この延長部１２ｂは、プラグ５０との接続という意味では機能を果たさない部分にまで延長し、強度向上の役割を果たしている。
【００１５】
図５に示すように、プラグ５０が挿入される外部接続用コネクタ１０の上下でビス２０が締結されることで、外部接続用コネクタ１０の周囲の強度向上が図られている。
【００１６】
図４に示すように、コネクタ本体１３の奥側には、金属端子１２の接続部１２ｃが突出しており、図６に示すように、この接続部１２ｃがフレキシブル基板１１に半田付けにより接続されている。そして、フレキシブル基板１１のコネクタ部１１ａがサブ基板６のコネクタ接続部６ａ（図７に示す）に嵌め込まれることで、金属端子１２とサブ基板６とが導通するようになっている。
【００１７】
図７に示すように、正面側キャビネット３のコネクタ用開口３ａの奥側には、外部接続用コネクタ１０を挿通及び保持するためのコネクタ用貫通孔３ｂが形成されている。コネクタ用貫通孔３ｂの下側かつ左右奥側には、左右に延びる凹溝３ｃが形成されている。この凹溝３ｃに対応してコネクタ本体１３の奥側には、図４に示すように、凸部１３ａが突設されている。図６に示すように、この凸部１３ａが凹溝３ｃに嵌合することで、コネクタ本体１３の位置決めをすると共に、ぐらつきを防止している。なお、正面側キャビネット３側に凸条を設けてコネクタ本体１３側に凹部を形成してもよい。
【００１８】
また、図４に示すように、コネクタ本体１３は、このコネクタ用貫通孔３ｂにあわせて先端側１２ａの外周が長円形状となっており、防水シール１５が嵌められている。このことで、コネクタ本体１３がコネクタ用貫通孔３ｂに挿入されたときに防水機能が発揮されるとともに、延長部１２ｂがインサート成形されたコネクタ本体１３が正面側キャビネット３に確実に保持されるようになっている。そして、金属端子１２の先端側１２ａ外周は、図１に示したように正面側キャビネット３のコネクタ用開口３ａと、背面側キャビネット４のコネクタ用切欠４ａで厚さ方向に挟持され、図５で示したように、その上下がビス２０で堅固に固定されている。このように、金属端子１２をプラグ５０との接続という意味では機能を果たさない延長部１２ｂまで延長し、その先端側１２ａ外周と、延長部１２ｂの外周を覆うコネクタ本体１３とを、正面側キャビネット３と背面側キャビネット４とで確実に保持している。
【００１９】
このように、正面側キャビネット３と背面側キャビネット４との特に強度の高い部分で外部接続用コネクタ１０を保持しているので、外部接続用コネクタ１０に厚さ方向の力が加わっても正面側キャビネット３と背面側キャビネット４とが変形しない。
【００２０】
また、プラグ５０を繰り返し抜き差ししても外部接続用コネクタ１０が堅固に保持されているので、防水シール１５における防水性が低下しない。
【００２１】
また、本実施形態の外部接続用コネクタ１０は、金属端子１２の先端側１２ａが露出して細くなっているので、厚さ方向に充分なスペースがない場合でも、外部接続用コネクタ１０を確実に保持できて有利である。
【００２２】
したがって、本発明によれば、プラグ５０を接続するときに外部接続用コネクタ１０に力が加わったときの半田のクラックや基板パターンの剥離を防ぐことができる。
【００２３】
−変形例１−
図８は本発明の実施形態の変形例１を示し、外部接続用コネクタ１０の固定方法が異なる点で上記実施形態と異なる。なお、以下の各変形例では、図１〜図７と同じ部分については同じ符号を付してその詳細な説明は省略する。
【００２４】
本変形例では、正面側キャビネット３のコネクタ用開口３ａが側面視矩形状であり、金属端子１２の先端側１２ａ及びコネクタ本体１３の全体をコネクタ用開口３ａ単独で覆っている。
【００２５】
本変形例は、ビス２０でコネクタ本体１３の上下近傍を締結できないような箇所、例えば携帯電話機１の背面などにコネクタ用開口３ａを設ける場合に有利である。また、断面円弧状の狭い領域を正面側キャビネット３とリアカバー５とで構成できるので、厚さをできるだけ薄くすることができる。
【００２６】
さらに、コネクタ本体１３を１つのキャビネットで覆っているので、プラグ５０の動きに対する剛性も高く、防水性も確保しやすい。
【００２７】
−変形例２−
図９は本発明の実施形態の変形例２を示し、外部接続用コネクタ１０の固定方法が異なる点で上記実施形態と異なる。
【００２８】
本変形例では、金属端子１２の先端側１２ａは、上記変形例１と同様にコネクタ用開口３ａで保持し、コネクタ本体１３の奥側は、背面側キャビネット４で保持している。
【００２９】
本変形例でも、ビス２０でコネクタ本体１３の上下近傍を締結できないような場合に有利であり、また、断面円弧状のような狭いスペースでも外部接続用コネクタ１０の堅固な保持が可能となっている。
【００３０】
−変形例３−
図１０は本発明の実施形態の変形例３を示し、外部接続用コネクタ１０の固定方法が異なる点で上記実施形態と異なる。
【００３１】
すなわち、本変形例では、金属端子１２の先端側１２ａは、上記実施形態と同様に正面側キャビネット３と背面側キャビネット４とで挟み込んでいるが、コネクタ本体１３は、正面側キャビネット３のみで保持している。
【００３２】
本変形例でも、上記実施形態１と同様に、プラグ５０を接続するときに外部接続用コネクタ１０に力が加わったときの半田のクラックや基板パターンの剥離を防ぐことができる。
【００３３】
（その他の実施形態）
本発明は、上記実施形態について、以下のような構成としてもよい。
【００３４】
すなわち、上記実施形態では、電子機器は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００３５】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３６】
１      携帯電話機（電子機器）
２      液晶表示部
３      正面側キャビネット（筐体、第１キャビネット）
３ａ    コネクタ用開口
３ｂ    コネクタ用貫通孔
３ｃ    凹溝 
４      背面側キャビネット（筐体、第２キャビネット）
４ａ    コネクタ用切欠
５      リアカバー（筐体）
５ａ    コネクタ用切欠
６      サブ基板
６ａ    コネクタ接続部
７      樹脂製ホルダ
８      防水パッキン
１０      外部接続用コネクタ
１１      フレキシブル基板
１１ａ    コネクタ部
１２      金属端子
１２ａ    先端側
１２ｂ    延長部
１２ｃ    接続部
１３      コネクタ本体
１３ａ    凸部 
１５      防水シール
２０      ビス
５０      プラグ
【図１】
2015061124.tif 000003
【図２】
2015061124.tif 000004
【図３】
2015061124.tif 000005
【図４】
2015061124.tif 000006
【図５】
2015061124.tif 000007
【図６】
2015061124.tif 000008
【図７】
2015061124.tif 000009
【図８】
2015061124.tif 000010
【図９】
2015061124.tif 000011
【図１０】
2015061124.tif 000012